(57)【要約】      （修正有）【課題】烏賊釣り用疑似餌針であるエギは根掛りしやすい物であるが、これを釣り位置からの操作で回収できる器具を提供する。【解決手段】エギの一番強靭なシンカーを引っ張ることで回収しライン（釣り糸）を伝ってスムーズにエギまで行くこと其れだけの重さであることこれらをシンプルに取り入れた回収具である。【選択図】図２
2015070829.tif 000002
【特許請求の範囲】
【請求項１】
長さ７センチ、直径１センチ５ミリの棒状重錘（図２Ｅ）の片端５ミリのところにステンレス線を建ちあげ２センチのところで直径８ミリ、ピッチ幅４〜５ミリのコイル状に１，５回転させる（図２Ａ）そのまま直線にし一方の端で逆回転に直径８ミリ、ピッチ幅４〜５ミリのコイル状に１，５回転させる（図２Ｂ）前回同様
重錘の端５ミリのところに入れる。
【請求項２】
そのまま棒状重錘の先端中心からステンレス線を９センチほど出し少し湾曲にし７センチのところで鈎状に折り曲げる（図２Ｃ）、このステンレス線の作成は一本で行なう、もう一方の先端中心にはスイベル（図２Ｄ）を要する
スイベルは回収具のラインの糸よれを防ぐ（強靭であることが求められる）
鈎状に曲げたステンレス線がエギのシンカーに掛かり回収することを特徴とするエギ回収具である、
【発明の詳細な説明】
【技術分野】
【０００１】本発明は海底や海藻とうに根掛りした烏賊釣り用エギを釣り位置からの操作で回収する為の器具の構造に関するものである。
【背景技術】
【０００２】イカ釣りの代表的釣りとして、近年エギング釣法が人気がある
これはエギ（餌木）と呼ばれるイカ釣り専用の疑似餌を用いた釣法で、このエギの形は（図１）のような形でＳ字状のフォルムをして先端部に釣り糸（ライン）を結ぶためのラインアイ、前端下側にシンカー（重錘）が本体よりもかなり突き出た型で設けられている
後部先端には、烏賊を引っ掛けるための傘針が設けられている【０００３】エギが海面に投入されるとシンカーによって頭部から斜め下方向に沈んでいき海底まで達したらシャクリ引き上げ、また沈める、という動作を繰り返して烏賊を釣る。
この時多々傘針が海底や海藻類に引っ掛かってしまう率が高い、このときロッド（釣竿）の操作で外そうとするが、たいてい釣り糸を無理やり引っ張って切る頃になる【０００４】そうしたことからエギ回収具が提案、市販されている
【特許文献】特開２０１０−５７４１９号がその例である
【発明の概要】
【本発明が解決しようとする課題】
【０００５】従来の回収具は鞍型がエギの上に被さらないと操作できなく又海流の強い所や荒れた潮のところでは、ラインから外れることもあった
【０００６】前記のエギ回収具では根掛りしたとき、障害物がエギの半分ほど覆っていると回収具が到達できない又回収具がラインから外れることから
【０００７】本発明は一本のステンレス線を片方を１．５回転コイル状にした後もう片方まで直線でもっていき次に反対方向に１．５回転させる。この２箇所のコイル状の内側にライン（釣り糸）を簡単に通すことができ、激しい動きでもラインから外れるこなくスムーズにエギまで到達する
【０００８】即ち本発明は、エギとロッド（釣竿）間のライン（釣り糸）を利用して回収具をエギ位置まで到達させ回収具の先端部の鈎爪がエギのシンカーに掛かりエギを根掛りから脱出させるという目的で開発した器具である
【０００９】エギを回収するためのライン（回収用糸）は重錘円柱から出されたスイベルに結ぶ、当然このラインは強靭であることが求められる
【発明の効果】
【００１０】本発明はエギの構成する各部の中でも強度が高いシンカー部（図１Ａ）を引っ張ることで回収するものである
【００１１】障害物がエギ本体の中央付近まであったとしてもエギの頭部とシンカーが出ていれば回収具の鈎爪で引っ掛けて回収できる。
【００１２】回収具の鈎爪の位置と湾曲のサイズは調整が出来る
【００１３】コイル状に作成するステンレス線は重錘の両端のところから片方ずつ１回転半のコイル状に一本のステンレス線で行なうことでライン（釣り糸）が安定し、スムーズに滑りエギまで到達する
【００１４】重錘の片側先端は、スイベルが施してあり（図２Ｄ・３Ｄ）回収具のラインのよれを緩和し、反対側先端にはコイルから下りてきたステンレス線がそのまま直角に延び先は湾曲した後、鈎状に折れている
【図１】
2015070829.tif 000003
【図２】
2015070829.tif 000004
【図３】
2015070829.tif 000005
【図４】
2015070829.tif 000006
【図５】
2015070829.tif 000007
【図６】
2015070829.tif 000008
【手続補正書】
【提出日】平成25年11月15日(2013.11.15)
【手続補正２】
【補正対象書類名】明細書
【補正対象項目名】全文
【補正方法】変更
【補正の内容】
【発明の詳細な説明】
【技術分野】
【０００１】本発明は海底や海藻とうに根掛りした烏賊釣り用エギを釣り位置からの操作で回収する為の器具の構造に関するものである。
【背景技術】
【０００２】イカ釣りの代表的釣りとして、近年エギング釣法が人気がある
これはエギ（餌木）と呼ばれるイカ釣り専用の疑似餌を用いた釣法で、このエギの形は（図１）のような形でＳ字状のフォルムをして先端部に釣り糸（ライン）を結ぶためのラインアイ、前端下側にシンカー（重錘）が本体よりもかなり突き出た型で設けられている
後部先端には、烏賊を引っ掛けるための傘針が設けられている【０００３】エギが海面に投入されるとシンカーによって頭部から斜め下方向に沈んでいき海底まで達したらシャクリ引き上げ、また沈める、という動作を繰り返して烏賊を釣る。
この時多々傘針が海底や海藻類に引っ掛かってしまう率が高い、このときロッド（釣竿）の操作で外そうとするが、たいてい釣り糸を無理やり引っ張って切る頃になる【０００４】そうしたことからエギ回収具が提案、市販されている
【特許文献】  特開２０１０−５７４１９号がその例である
【発明の概要】
【本発明が解決しようとする課題】
【０００５】従来の回収具は鞍型がエギの上に被さらないと操作できなく又海流の強い所や荒れた潮のところでは、ラインから外れることもあった
【０００６】前記のエギ回収具では根掛りしたとき、障害物がエギの半分ほど覆っていると回収具が到達できない又回収具がラインから外れることから
【０００７】本発明は一本のステンレス線を片方を１．５回転コイル状にした後もう片方まで直線でもっていき次に反対方向に１．５回転させる。この２箇所のコイル状の内側にライン（釣り糸）を簡単に通すことができ、激しい動きでもラインから外れるこなくスムーズにエギまで到達する
【０００８】即ち本発明は、エギとロッド（釣竿）間のライン（釣り糸）を利用して回収具をエギ位置まで到達させ回収具の先端部の鈎爪がエギのシンカーに掛かりエギを根掛りから脱出させるという目的で開発した器具である
【０００９】エギを回収するためのライン（回収用糸）は重錘円柱から出されたスイベルに結ぶ、当然このラインは強靭であることが求められる
【発明の効果】
【００１０】本発明はエギの構成する各部の中でも強度が高いシンカー部（図１Ａ）を引っ張ることで回収するものである
【００１１】障害物がエギ本体の中央付近まであったとしてもエギの頭部とシンカーが出ていれば回収具の鈎爪で引っ掛けて回収できる。
【００１２】回収具の鈎爪の位置と湾曲のサイズは調整が出来る
【００１３】コイル状に作成するステンレス線は重錘の両端のところから片方ずつ１回転半のコイル状に一本のステンレス線で行なうことでライン（釣り糸）が安定し、スムーズに滑りエギまで到達する
【００１４】重錘の片側先端は、スイベルが施してあり（図２Ｄ・３Ｄ）回収具のラインのよれを緩和し、反対側先端にはコイルから下りてきたステンレス線がそのまま直角に延び先は湾曲した後、鈎状に折れている
【図面の簡単な説明】
【００１５】
【図１】代表的なエギのホルム図
【図２】回収具の平面図
【図３】回収具にラインが入った図
【図４】回収具にラインが入る前の図
【図５】回収具へラインの通し方の図
【図６】回収具がエギを回収するところの図
【符号の説明】［図１］エギの代表的なホルム
Ａ      シンカー
Ｂ      傘針
Ｃ      ラインアイ
［図２］回収具側面
Ａ      ステンレス線直径８ミリ、ピッチ４〜５ミリのコイル
Ｂ      ステンレス線直径８ミリ、ピッチ４〜５ミリのコイル
Ｃ      ステンレス線を湾曲にし先を鈎状に曲げてある
Ｄ      スイベルの半分は重錘の中でステンレス線と交わることで強度を増す
Ｅ      重錘の長さ７センチ直径１．５センチの円柱（鉛・鉄・タングステン）
（長さ、直径はこの限りでなくてもよい）
［図３］回収具立体図
ａ      ライン（釣り糸）
ｂ      ライン（回収具用）
ライン（釣り糸）がステンレス線コイルＡＢの中に通ったところ
［図４］回収具にラインが入る前の図
回収具とラインａの始めの位置
［図５］回収具へラインの通し方の図
回収具へラインａを通す方法
［図６］回収具がエギを回収するところの図
シンカーＡに回収具の鈎が掛かりｂを引くことで回収する